(57)【要約】      （修正有）【課題】生体眼は患者個々でサイズが異なるので、支持部上で縫着位置を選べ、生体組織に順応性のより高い眼内レンズを提供すること。支持部に突起物の無い折りたたみ可能な毛様溝縫着用眼内レンズを提供すること。【解決手段】眼内レンズＬのループ状支持部Ｈの縫着糸をかける部分Ｗを帯状に細くし、縫着位置に幅を持たせる。支持部は、通常直径０．１〜０．１５ｍｍ位の太さであるが、この太さの２〜５割程度細くする。尚、その支持部の細くする位置は眼球で輪状である毛様溝の接線に位置する所に設ける。その細くする支持部上の帯状の長さ、縫着糸のかかる幅は約０．５〜２．０ｍｍ位が良い。支持部の細い部分への縫着方法は一般的にカウヒッチ結びが多く、本発明の支持部にも対応される。ループ状の支持部が二本ある場合、その両方に縫着糸をかける部分を細くする。【選択図】図１
2005230482.tif 000002
【特許請求の範囲】
【請求項１】
光学部とループ状支持部が一体となった眼内レンズにおいて、支持部の途中に帯状に細い部分を設け、患者眼球内毛様溝への支持部の縫着位置をその支持部の帯状に細くした部分の任意の位置に選べることを特徴とした眼内レンズ。
【請求項２】
任意の位置に選べる縫着位置が支持部の途中で眼内レンズ長径近位にあり、支持部前後より帯状に細く、縫着位置がその細くなった支持部上で任意に選べる請求項１に記載の眼内レンズ。
【請求項３】
任意に選べる縫着位置が０．５〜２．０ｍｍの範囲内であることを特徴とした請求項１に記載の眼内レンズ。
【請求項４】
支持部の帯状に細い部分の太さが本来の支持部の太さの２０〜５０％細くしたことを特徴とした請求項１に記載の眼内レンズ。
【発明の詳細な説明】
【技術分野】
【０００１】本発明は、白内障患者の白内障摘出手術後に視力矯正のために患者の眼内に移植される眼内レンズに関する。
【背景技術】
【０００２】ヒト水晶体は加齢や外傷により白濁し、白内障となり、一般にその多くは白内障手術により眼内透明性を得た後、視力矯正のため眼内レンズが元の水晶体の位置に移植される。移植される眼内レンズ（人工水晶体）は水晶体嚢内に移植されるのが最良の結果となると考えられている。しかしながら、水晶体嚢及び嚢を支えるチン小帯に損傷があると眼内レンズを水晶体嚢内に移植できない。このとき、毛様溝縫着用眼内レンズが移植される。このときチン小帯の損傷の範囲が狭い時には、水晶体嚢内固定用眼内レンズがそのまま毛様溝に移植される。毛様溝は虹彩後方に位置している。チン小帯の損傷の程度が強い場合や、水晶体との境界膜（硝子体膜）が破損した場合には、毛様溝縫着用眼内レンズが移植される。【０００３】しかし、水晶体嚢内固定用眼内レンズがそのまま毛様溝縫着用眼内レンズとして移植される場合がある。この時、眼内レンズのループ状の支持部（ハプティック）は毛様溝に外部強膜より縫着される。
【特許文献１】特許番号第２７９２５８８号は強膜等に縫合するための眼内レンズを開示している。ループ状支持部の途中に中腹部を設け、中腹部の中央に切り欠き部を設けている。切り欠き部に縫合糸をかけて強膜に縫合する。切り欠き部を設けるために支持部中腹部は太くなっている。
【発明の開示】
【発明が解決しようとする課題】
【０００４】解決しようとする問題点は第一に、水晶体嚢内固定用眼内レンズを毛様溝に縫着する時、縫着糸のループ状の支持部にかける位置が決めづらく、又、縫着手術後眼球は絶えず動いているため縫着糸より支持部がずれ、眼内レンズの偏位や傾きの原因となり、患者視力の低下をもたらす。【０００５】第二に、従来のループ状の支持部に小さな輪状ループを設けた毛様溝縫着用眼内レンズや特許番号第２７９２５８８号で開示しているような眼内レンズでは支持部の柔軟性が低くなり、本来の柔軟性を求めている支持部の機能を損ね、副作用の誘因となる可能性がある。又、小さな輪状ループや切り欠き部に縫合糸をかけ毛様溝に支持部を縫着すると、眼球は絶えず動いているため小さな輪状ループや切り欠き部のある中腹部の毛様体組織との接触面が増えた分、その部位の炎症の度合いが増す。
その上、小さな輪状ループや切り欠き部のある中腹部が接触している毛様体組織と癒着している時、これら眼内レンズを何らかの理由で摘出しなければならなくなった場合、小さな輪状ループや切り欠き部のある中腹部を毛様体組織から分離が出来ず、これら眼内レンズの摘出が難しくなり、患者の視力回復が困難となる。
その上、小さな輪状ループを設けた毛様溝縫着用眼内レンズや特許番号第２７９２５８８号で開示されている眼内レンズの縫着箇所はそれぞれ、輪状ループでは支持部側１点と切り欠き部支持部側１点のみであり、縫着位置が動かせない。生体眼は患者個々でサイズが異なるので、縫着位置を患者の眼球サイズに合わせて調節できれば安定感が増す。患者眼軸長は凡そ２０〜３０ｍｍと、個々に異なる。【０００６】第三に、折りたたんだり丸めたりして眼内レンズを眼内に挿入する手術の場合、従来の毛様溝縫着用眼内レンズはその突起物が邪魔となり折りたたんだり丸めたり出来ず、切開創を大きく取らざるを得なかった。眼内に折りたたんだり丸めたり出来る毛様溝縫着可能な眼内レンズを開発すること。現在、折りたたんだり丸めたり出来る毛様溝縫着用に適し、或いは開発された眼内レンズは無い。
【課題を解決するための手段】
【０００７】  光学部とループ状の支持部が一体となった眼内レンズにおいて、支持部の途中に帯状に細い部分を設け、患者眼球の大きさにより毛様溝への支持部の縫着位置をその支持部の細くした部分の任意の位置に選べることを特徴とした眼内レンズ。そして、任意に選んだ縫着位置が支持部の途中で眼内レンズ長径近位にあり、支持部前後より帯状に細く、縫着位置をその細くなった支持部上で任意にずらして選べる眼内レンズを提供する。
更に、任意に選べる縫着位置が０．５〜２．０ｍｍの範囲内である眼内レンズを提供すること。細くなった支持部のその太さは支持部の太さより２０〜５０％細くした眼内レンズを提供すること。この本発明の手段により、折りたたんだり丸めたりして眼内に挿入出来る眼内レンズを可能にする。【０００８】つまり、本発明は、支持部に縫着糸をかける部分を帯状に細くすること、及び縫着位置をずらせる幅を持たせることにより課題を解決する。本発明の支持部は、例えば通常直径０．１０〜０．１５ｍｍ位の太さであるが、縫着部位はこの太さの２〜５割程度帯状に細くする。尚、その支持部の細くする位置は眼球で輪状である毛様溝の接線に位置する所に設ける。その細くする支持部上の長さ、縫着糸のかかる帯状の幅、は約０．５〜２．０ｍｍ位が良い。支持部の細い部分への縫着方法は一般的にカウヒッチ結び（牛の鼻輪にロープを簡便に結わえる方法）が多く、本発明の支持部にも対応される。【０００９】本発明は、ループ状の支持部が二本ある場合、その両方に縫着糸をかける部分を細くすることにより課題を解決する。本発明のループ状の支持部は毛様溝に縫着している時は動かず、眼内レンズの摘出の必要性が生じても縫着糸を切れば支持部の毛様溝よりの抜き取りが簡単で眼内レンズの摘出が容易に操作できる。
【発明の効果】
【００１０】本発明のループ状の支持部に縫着糸をかける部分を帯状に細くした眼内レンズは、水晶体嚢内固定、毛様溝固定及び毛様溝縫着用眼内レンズとして使用され、使用者（術者）にとってそれぞれ区別する必要がない。このことは手術医師にとって、或いは手術準備の混乱を回避できることとなる。【００１１】本発明のループ状の支持部に縫着糸をかける部分を帯状に細くした眼内レンズでは、縫着糸を支持部に結びつける時にその任意の部位にしっかりと固定できるため、支持部から縫着した糸がずれにくく、外れにくい。そして術者が術中に支持部上の縫着位置を選択できる。つまり患者が小さめの眼球であれば、図１で説明すると眼内レンズの長径Ａが狭まり、縫着位置は部分Ｗの支持部付け根側、大き目の眼球であれば長径Ａに近くなり、部分Ｗの支持部先端Ｅ側に縫着場所を選べる。【００１２】本発明は、ループ状の支持部が二本ある場合、その両方に縫着糸をかけ、毛様溝に縫着することにより従来よく起こるその眼内レンズの上下左右への偏位や前後への傾きが軽減される。手術医師が水晶体嚢内固定用眼内レンズを毛様溝に縫着したい時、二本の支持部にかけた糸（その位置、糸の引っ張り強さなど）の確認、及び眼内レンズ位置などの調整が必要であったが、本発明の眼内レンズの使用により糸の調整が容易になり、眼内レンズの偏位や傾きが改善される。これらのことは患者の術後視力維持及び術中医師のストレスを大きく軽減することとなる。【００１３】本発明の眼内レンズの白内障患者への移植によりループ状の支持部が毛様溝に縫着されている時はレンズ偏位を起こさず、仮に眼内レンズの摘出の必要性が生じても縫着糸を切れば支持部の毛様溝よりの抜き取りが簡単で眼内レンズの摘出が容易に操作可能となる。このことも患者の術後視力維持及び術中医師のストレスを大きく軽減することとなる。【００１４】本発明の眼内レンズの白内障患者への移植により支持部は毛様溝に縫着されている時は、図３の従来のループ状の支持部に小さな輪状ループや図４の中腹部に切り欠き部を設けた毛様溝縫着用眼内レンズに比べて生体組織に接触する面積及び体積が小さく柔軟で、縫着部位の術後炎症の軽減ができる。支持部が柔軟であると折りたたみが出来、眼内レンズ移植のための切開創を小さく出来る。このことは患者視力維持、投薬の軽減、などに貢献することとなる。【００１５】本発明の眼内レンズの白内障患者への移植による利点をまとめると、患者の視力向上及び維持、手術医師の術中ストレス軽減、投薬の軽減、各種眼内レンズ予備ストックの軽減、手術関係者の眼内レンズ採用・取り扱いの簡便化が計れる。【００１６】本発明は、図１で示すように支持部Ｈと呼ばれるループ状の支持部を持つ眼内レンズのその支持部Ｈの一部Ｗを帯状に細くし、患者眼球内の毛様溝に眼内レンズを縫着する。図２のように縫着には縫合糸Ｋを用いて支持部の細くした部分Ｗにカウヒッチ結びし、支持部Ｈを毛様溝に縫着する。本発明では図２のように通常操作されるカウヒッチ結びで説明しているが、他の結び方法でも良い。そして結び目は細い部分Ｗのどこでも患者眼球サイズにより場所を選べる。【００１７】本発明は、従来より一般的に移植されている支持部を持つ後房眼内レンズであれば支持部の一部を図１のＷのように細くし、ポリメチルメタクリレートやアクリル系樹脂及びシリコーン樹脂などの素材を問わず本発明の施行が可能である。尚、支持部Ｈが複数本あればその複数本共に一部を帯状に細くした本発明の眼内レンズを縫着すればよりよい安定が得られる。【００１８】図１の本発明の支持部Ｈの一部を帯状に細くするその部分Ｗは毛様溝と接すると良く、角膜周囲円状の毛様溝の接線となる位置に設ける。しかしながら患者により眼球の大きさが異なるので本発明の支持部Ｈの一部を細くするその部分Ｗの長さは約０．５〜２．０ｍｍ位がよく、支持部Ｈの帯状に細い部分Ｗに縫着された糸はその長さの範囲外の支持部ＨのレンズＬ側或いは先端Ｅ側に逃げられない。本発明の支持部Ｈの一部を細くするその部分Ｗの幅は、毛様溝の位置は患者固有のものであり患者により異なるが、最大でも２．０ｍｍ位あれば殆どの大きさの眼球に対応可能となる。【００１９】本発明は、ループ状支持部Ｈに縫着糸をかける部分Ｗを帯状に細くする。支持部Ｈは例えば、通常直径０．１〜０．１５ｍｍ位の太さであるが、部分Ｗではその太さの２〜５割程度細くする。いったん縫着糸を部分Ｗの選んだ任意の位置で締めると糸は左右にはずれにくくなる。【００２０】図３や図４は既に開示されている毛様溝縫着用眼内レンズを示している。説明のため図３は光学部Ｌの支持部Ｈに小さな輪状ループを設けた眼内レンズの上半分の図であり、図４は光学部Ｌの支持部Ｈの中腹部に切り欠き部を設けた眼内レンズの下半分の図である。これら二例の支持部Ｈは従来の突起物の無い眼内レンズや本発明の眼内レンズに比べて柔軟性が減少する。柔軟性が乏しくなると生体組織と馴染まず炎症度合いが増える危険性がある。又、図３や図４では支持部Ｈの輪状ループＲや中腹部切り欠き部Ｃの突起物分の面積がその分増え、生体組織との接触面積が増えることになり、炎症度合いが増す。更に、それら突起物ＲやＣに生体組織が癒着した時、この眼内レンズを何らかの原因で摘出しなければならなくなった時、突起物ＲやＣと生体組織との分離ができず、この眼内レンズの摘出が困難となり、患者の視力回復が難しくなる可能性がでてくる。更に、縫着箇所は輪状ループＲに通糸及び切り欠き部に糸をかけるので、共にループ先端Ｅより縫着糸は外れないものの、予め決められた一箇所で固定され、患者眼球の異なる大きさに対応していない。
【実施例１】
【００２１】図１の様な眼内レンズを作成し、図２の様に糸を結んだ。眼内レンズは長径１２．５ｍｍ、光学部直径６ｍｍ、ループ状の支持部太さ１．３ｍｍ、全体ポリメチルメタクリレート製を作成した。支持部Ｈの細い部分Ｗは０．９ｍｍの太さで帯状の長さは２．０ｍｍにした。この２．０ｍｍの両側、先端部Ｅと支持部根元側、に０．２ｍｍづつ緩やかな傾斜をつけ太さ０．９ｍｍから１．３ｍｍに戻した。先端部Ｅから細い部分Ｗの中央までは２．０ｍｍとした。図２の様に支持部の部分Ｗには９−０ポリプロピレン縫合糸（太さ約０．０３５ｍｍ）を用いた。【００２２】顕微鏡下で縫合糸の支持部上でのずれ具合を見たが、糸はしっかりと固定されていた。肉眼では糸のあるなしに拘わらず、ほとんど支持部に加工がしてない様にみえた。しかしながら、顕微鏡下では当然支持部の太さの違いが分かった。サイズ直径１０．０，  １０．５，  １１．０，  １１．５ｍｍの四つの円形プラスチックケースで、この図１の様に作成した長径Ａが１２．５ｍｍの眼内レンズの支持部の帯状の細い部分が外周円上に接するか試験したところ、例えば、１１．５ｍｍのケースでは支持部先端Ｅに近い部分が接し、いずれの場合でも帯状の２．０ｍｍの細い部分が上手く外周円上に接していた。支持部は柔軟性も良く、水晶体嚢内、毛様溝ともに上手く適合するように考えられた。毛様溝に接触する面積は明らかに従来のものと比べて、或いは参考図、図３や図４で示した小さな輪状ループや中腹部に切り欠き部のある支持部に比べて小さく、引っかかり等の突起物がなくスムーズな形状の支持部を呈していた。このことは本発明の眼内レンズが折りたたみを可能にしていることを示唆している。
【実施例２】
【００２３】実施例１で製作した眼内レンズの二本の支持部Ｈの細い部分Ｗに９−０ポリプロピレン糸でカウヒッチ結びし、レンズの縫合糸結び具合を試験した。図２の用にカウヒッチされた糸は一旦締められると左右に動かず、支持部先端Ｅよりぬける心配は無かった。糸のカウヒッチされた結び目は支持部の太さ１．３ｍｍを越えることなく、なんら突起状のものが無く、スムーズであった。二つの縫合糸の結び目の外を切断し、鈎で結び目をそっと押さえループを抜いてみると少ない引っ掛かりでスムーズに抜けた。
【産業上の利用の可能性】
【００２４】本発明の眼内レンズは哺乳類、特に犬や猫等の動物にも適用できる。
【図面の簡単な説明】
【００２５】
【図１】は、本発明の支持部に縫着糸をかける部分を細くした眼内レンズの正面図である。
【図２】は、図１で示した支持部に縫着糸をかける部分の拡大図であり、縫着糸がカウヒッチ結びされている正面図である。
【図３】支持部に小さな輪状ループが設けられている参考図で、眼内レンズ上半分のみの図であり支持部の小さな輪状ループに縫着糸をかける目的の従来より使用されている毛様溝縫着用眼内レンズの参考図である。
【図４】は、特許番号第２７９２５８８号で開示された眼内レンズの下半分の図であり、ループ状支持部中腹部に切り欠き部がある毛様溝縫着用眼内レンズの説明のための参考図である。
【符号の説明】
【００２６】Ａ．．．．．眼内レンズの長径
Ｌ．．．．．眼内レンズの光学部（レンズ）
Ｈ．．．．．支持部（レンズ支持ループ部、ハプティック）
Ｗ．．．．．支持部に縫合糸をかけるために帯状に細くした部分
Ｅ．．．．．支持部先端
Ｒ．．．．．支持部に縫合糸をかけるための小さな輪状ループ
Ｃ．．．．．支持部に縫合糸をかけるための中腹部の切り欠き部
【図１】
2005230482.tif 000003
【図２】
2005230482.tif 000004
【図３】
2005230482.tif 000005
【図４】
2005230482.tif 000006